【事件の表示】
　特許第２９９１２４７号「複合デジタル複写機」の請求項１ないし４に係る特許に対する特許異議の申立てについて、次のとおり決定する。
【結　論】
　訂正を認める。
　特許第２９９１２４７号の請求項１に係る特許を維持する。
【理　由】
１．手続の経緯
　特許第２９９１２４７号に係る発明の出願は、平成３年１月２８日の特許出願であって、平成１１年１０月１５日にその発明について特許の設定登録がなされ、その後、その特許請求の範囲における請求項１乃至４に係る発明について異議申立人寺脇弘子より特許異議の申立てがなされ、取消理由通知がなされ、その指定期間内である平成１３年３月６日に訂正請求（後日取下げ）がなされた後、再度取消しの理由が通知され、その指定期間内である平成１３年５月１７日に訂正請求がなされたものである。
　　
２．訂正の適否について
（１）訂正の内容
　平成１３年５月１７日付けの訂正請求書による訂正事項ａは、特許請求の範囲の請求項１ないし４
　「【請求項１】動作指令等の操作情報入力を行う操作部と、原稿画像を読み取るスキヤナと、画像情報を記憶する画像メモリと、画像記録動作を行うプリンタと、画像情報処理と前記プリンタの画像記録動作の制御を行う制御手段を備え、原稿画像を読み取つた画像情報の外に、フアクシミリ等の他の画像情報出力装置としての機能を合わせ持つた複合デジタル複写機において、前記プリンタによる前記画像情報出力装置の画像記録動作時、操作部の操作による原稿画像の読み取り指令を受けた時には、前記制御手段は前記スキヤナに原稿画像を読み取らせ、前記スキヤナが読み取つた原稿画像の画像情報を全て前記画像メモリに格納すると共に、前記画像情報出力装置の画像記録動作終了時、直ちに前記画像メモリに格納された画像情報を読み出して前記プリンタに出力し、前記プリンタによる画像記録動作を行わせる制御を行うことを特徴とした複合デジタル複写機。
【請求項２】請求項１の記載において、画像メモリに格納された画像情報のプリンタによる画像記録動作時、操作部の操作による次の原稿画像の読み取り指令を受けた時には、制御手段は直ちに前記スキヤナによる原稿画像の読み取りと、画像情報の画像メモリへの格納動作を行わせる制御を行うことを特徴とした複合デジタル複写機。
【請求項３】請求項１または２の記載において、制御手段は操作部で入力された複写モードのデータを記憶し、画像メモリに格納された画像情報のプリンタによる画像記録動作時、前記記憶した複写モードデータに従つた前記プリンタによる画像記録動作を行わせる制御を行うことを特徴とした複合デジタル複写機。
【請求項４】請求項３の記載において、プリンタから排出された記録シートを仕分けするソータを備えると共に、操作部には前記ソータの出力を希望するビンを指定する指定キーを有することを特徴とした複合デジタル複写機。」につき、
　請求項２ないし４を削除し、請求項１を
　「【請求項１】動作指令等の操作情報入力を行う操作部と、原稿画像を読み取るスキヤナと、画像記録動作を行うプリンタと、前記スキャナにより読み取られた原稿の画像情報、各種画像処理を行う画像処理回路で画像処理された画像情報及び外部から入力された画像情報を記憶し、前記プリンタ、外部装置及び前記画像処理回路へ出力可能な画像メモリと、画像情報処理、前記プリンタの画像記録動作及び前記画像メモリへの画像債報の格納動作の制御を行う制御手段とを備え、原稿画像を読み取った画像情報の外に、ファクシミリ等の他の画像情報出力装置としての機能を合わせ持った複合デジタル複写機において、前記プリンタによる前記画像情報出力装置の画像記録動作時、前記操作部の操作による原稿画像の読み取り指令を受けた時には、前記制御手段は前記スキヤナに原稿画像を読み取らせ、前記スキヤナが読み取つて画像処理された原稿画像あるいは画像処理されていない原稿画像の画像情報のいずれかを全て前記画像メモリに格納させると共に、前記画像情報出力装置の画像記録動作終了時、直ちに前記画像メモリに格納された画像情報を読み出し、前記画像処理された原稿画像の画像情報はそのまま、前記画像処理されていない原稿画像の画像情報は前記画像処理回路で画像処理した後、前記プリンタに出力し、前記プリンタによる画像記録動作を行わせる制御を行うことを特徴とした複合デジタル複写機。」
と訂正するものであり、
　訂正事項ｂは、
　ア．公報第２頁第３個第３４行ないし同頁第４個第１５行の記載
　「【課題を解決するための手段】上記目的は、動作指令等の操作情報入力を行う操作部と、原稿画像を読み取るスキヤナと、画像情報を記憶する画像メモリと、画像記録動作を行うプリンタと、画像情報と前記プリンタの画像記録動作の制御を行う制御手段を備え、原稿画像を読み取つた画像情報の外に、フアクシミリ等の他の画像情報出力装置としての機能を合わせ持つた複合デジタル複写機において、前記プリンタによる前記画像情報出力装置の画像記録動作時、操作部の操作による原稿画像の読み取り指令を受けた時には、前記制御手段は前記スキヤナに原稿画像を読み取らせ、前記スキヤナが読み取つた原稿画像の画像情報を全て前記画像メモリに格納すると共に、前記画像情報出力装置の画像記録動作終了時、直ちに前記画像メモリに格納された画像情報を読み出して前記プリンタに出力し、前記プリンタによる画像記録動作を行わせる制御を行う第１の手段により達成される。また上記目的は、第１の手段において、画像メモリに格納された画像情報のプリンタによる画像記録動作時、操作部の操作による次の原稿画像の読み取り指令を受けた時には、制御手段は直ちに前記スキヤナによる原稿画像の読み取りと、画像情報の画像メモリへの格納動作を行わせる制御を行う第２の手段により達成される。また上記目的は、第１または第２の手段において、制御手段は操作部で入力された複写モードのデータを記憶し、画像メモリに格納された画像情報のプリンタによる画像記録動作時、前記記憶した複写モードデータに従った前記プリンタによる画像記録動作を行わせる制御を行う第３の手段により達成される。さらに上記目的は、第３の手段において、プリンタから排出された記録シートを仕分けするソータを備えると共に、操作部には前記ソー夕の出力を希望するビンを指定する指定キーを有する第４の手段により達成される。」を、
　「【課題を解決するための手段】上記目的は、動作指令等の操作情報入力を行う操作部と、原稿画像を読み取るスキヤナと、画像記録動作を行うプリンタと、前記スキャナにより読み取られた原稿の画像情報、各種画像処理を行う画像処理回路で画像処理された画像情報及び外部から入力された画像情報を記憶し、前記プリンタ、外部装置及び前記画像処理回路へ出力可能な画像メモリと、画像情報処理、前記プリンタの画像記録動作及び前記画像メモリへの画像情報の格納動作の制御を行う制御手段とを備え、原稿画像を読み取つた画像情報の外に、フアクシミリ等の他の画像情報出力装置としての機能を合わせ持つた複合デジタル複写機において、前記プリンタによる前記画像情報出力装置の画像記録動作時、前記操作部の操作による原稿画像の読み取り指令を受けた時には、前記制御手段は前記スキヤナに原稿画像を読み取らせ、前記スキヤナが読み取つて画像処理された原稿画像あるいは画像処理されていない原稿画像の画像情報のいずれかを全て前記画像メモリに格納させると共に、前記画像情報出力装置の画像記録動作終了時、直ちに前記画像メモリに格納された画像情報を読み出し、前記画像処理された原稿画像の画像情報はそのまま、前記画像処理されていない原稿画像の画像情報は前記画像処理回路で画像処理した後、前記プリンタに出力し、前記プリンタによる画像記録動作を行わせる制御を行う第１の手段により達成される。」と訂正し、
　イ．公報第２頁第４桐第１７行ないし同福第３７行の記載
　「【作用】フアクシミリ等の画像情報出力装置のプリンタによる画像記録動作時、操作部のスタートキーが押下されて、スキヤナによる原稿画像の読み取り指令を受けた時には、制御手段はスキヤナに原稿画像を読み取らせ、スキヤナが読み取つた原稿画像の画像情報を全て画像メモリに格納する。画像情報出力装置のプリンタによる画像記録動作が終了すると、直ちに画像メモリに格納された画像情報を読み出してプリンタに出力し、プリンタは画像メモリに格納された画像情報による画像記録動作を行う。画像メモリに格納された画像情報のプリンタによる画像記録動作時、次の原稿画像の読み取り指令を受けた時には、制御手段は直ちにスキヤナによる次の原稿画像の読み取りと、画像情報の画像メモリへの格納動作を行わせる。操作部で複写モードを入力した時は、制御手段はその複写モードデータをメモリに記憶させ、画像メモリに格納された原稿画像の画像情報の画像記録動作時、前記メモリに記憶された複写モードデータに従つた画像記録動作をプリンタに行わせる制御を行う。操作部の指定キーを操作して、ソータの出力を希望するビンを指定した時は、プリンタから排出された記録シートはその指定したビンに排出される。」を、
　「【作用】フアクシミリ等の画像情報出力装置のプリンタによる画像記録動作時、操作部のスタートキーが押下されて、スキヤナによる原稿画像の読み取り指令を受けた時には、制御手段はスキヤナに原稿画像を読み取らせ、スキヤナが読み取つた原稿画像の画像情報を全て画像メモリに格納する。画像情報出力装置のプリンタによる画像記録動作が終了すると、直ちに画像メモリに格納された画像情報を読み出してプリンタに出力し、プリンタは画像メモリに格納された画像情報による画像記録動作を行う。」と訂正し、
　ウ．公報第７頁第１４禍第３９行ないし第８頁第１５淵第５行の記載
　「【発明の効果】請求項１記載の発明によれば、複写機が他の画像情報出力装置のプリント出力を行つている場合においても、プリンタの稼働状態に関係なく原稿画像の読み込み作業を完了して他の作業に移ることができるようになるため、複写作業効率が向上する。読み込まれたデータは、画像情報出力装置によるプリント終了次第、速やかに出力され、コピーは必要な時に必要な人が取りに行けば済むようになる。請求項２記載の発明によれば、画像メモリに蓄積された画像データに基づきプリント出力を行っている場合においても、新たな原稿の読み込みが行える。請求項３記載の発明によれば、原稿の読み込みを行う時点で出力条件を設定でき、原稿ごとに出力条件を指定できる。請求項４記載の発明によれば、多数の原稿の読み込みが多数の人によつて行われた場合などでも特定の操作者の指定したソータのビンにコピーの出力を予約できるようになり、他のメンバ一のコピーとの区別が容易となる。」を、
　「【発明の効果１請求項１記載の発明によれば、複写機が他の画像情報出力装置のプリント出力を行っている場合においても、プリンタの稼働状態に関係なく原稿画像の読み込み作業を完了して他の作業に移ることができるようになるため、複写作業効率が向上する。読み込まれたデータは、画像情報出力装置によるプリント終了次第、速やかに出力され、コピーは必要な時に必要な人が取りに行けば済むようになる。」と訂正するものである。
　　　
（２）訂正の目的の適否、新規事項の有無及び拡張・変更の存否
　上記訂正事項ａは、特許請求の範囲の減縮を目的とする明細書の訂正に該当し、また、新規事項の追加に該当しない。
　上記訂正事項ｂは、特許請求の範囲の記載と発明の詳細な説明の記載との整合性を図るため、明りょうでない記載の釈明を目的とする明細書の訂正に該当するものであり、また、新規事項の追加に該当しない。
　そして、上記訂正は、いずれも、実質上特許請求の範囲を拡張し、変更するものでもない。
（３）以上のとおりであるから、上記訂正は、特許法第１２０条の４第第３項において準用する平成六年法律第１１６号による改正前の特許法１２６条第１項ただし書き、第２項、及び第３項の規定に適合するので、当該訂正を認める。
　　
３．特許異議の申立てについて
（１）申立の理由の概要
　異議申立人寺脇弘子は、証拠として甲第１号証（特開昭６０−８３４７１号公報）、甲第２号証（特開平０１−２５８５５０号公報）、甲第３号証（特開昭６０−１９１６０号公報）、及び甲第４号証（特開昭６３−１３９８７９号公報）を提出し、本件請求項１〜４に係る発明は、甲第１号証乃至甲第４号証に記載された発明に基いて当業者が容易に発明をすることができたものであり、特許法第２９条第２項の規定により特許を受けることができないものであるから、本件請求項１〜４に係る発明の特許を取消すべき旨主張している。
（２）本件発明
　平成１３年５月１７日付けで提出された訂正明細書の請求項１に係る発明は、その特許請求の範囲の請求項１に記載された次の事項により特定されるとおりのものである。　
「【請求項１】動作指令等の操作情報入力を行う操作部と、
　原稿画像を読み取るスキャナと、
　画像記録動作を行うプリンタと、
　前記スキャナにより読み取られた原稿の画像情報、各種画像処理を行う画像処理回路で画像処理された画像情報及び外部から入力された画像情報を記憶し、前記プリンタ、外部装置及び前記画像処理回路へ出力可能な画像メモリと、
　画像情報処理、前記プリンタの画像記録動作及び前記画像メモリへの画像情報の格納動作の制御を行う制御手段とを備え、
　原稿画像を読み取った画像情報の外に、ファクシミリ等の他の画像情報出力装置としての機能を合わせ持った複合デジタル複写機において、
　前記プリンタによる前記画像情報出力装置の画像記録動作時、前記操作部の操作による原稿画像の読み取り指令を受けた時には、前記制御手段は前記スキャナに原稿画像を読み取らせ、前記スキャナが読み取って画像処理された原稿画像あるいは画像処理されていない原稿画像の画像情報のいずれかを全て前記画像メモリに格納させると共に、前記画像情報出力装置の画像記録動作終了時、直ちに前記画像メモリに格納された画像情報を読み出し、前記画像処理された原稿画像の画像情報はそのまま、前記画像処理されていない原稿画像の画像情報は前記画像処理回路で画像処理した後、前記プリンタに出力し、前記プリンタによる画像記録動作を行わせる制御を行うことを特徴とした複合デジタル複写機。」
　
４．引用刊行物記載の発明
（１）当審が通知した取消理由に引用した刊行物１（特開昭６０−８３４７１号公報）（甲第１号証）には、以下の事項が記載されている。
（ア）「１）原稿を光学的に走査して読取り画像情報を出力する走査手段と、この走査手段から得られた画像情報を電気信号に変換する信号変換手段と、この信号変換手段から得られる電気信号に応じて画像形成を行う画像形成手段と、制御信号を供給する操作手段と、外部装置から供給される画像情報を受信するインターフェース手段と、このインターフェース手段あるいは前記信号変換手段により供給される画像情報を選択的に記憶する記憶手段とからなり、前記走査手段で読取った画像情報を画像形成手段で画像形成する第１のモードと前記インターフェース手段で受信した画像情報を画像形成手段で画像形成する第２のモードと、第１，第２のモードのうち何れか一方のモードが実行されている状態において、他方のモードの要求が前記操作手段あるいはインターフェース手段から供給された場合、他方のモードの画像情報を前記記憶部に記憶し、実行中のモードが終了した状態において前記記憶された画像情報を前記画像形成手段に供給して画像形成する第３のモードとを有することを特徴とする画像形成装置。」（第１頁特許請求の範囲第１項）
（イ）「しかしながら、従来のこの種の画像形成装置は複写機専用あるいはプリンター専用として使用されており、１台でこれらの両方の機能を有するものはなかった。（中略）この発明は上記事情に鑑みてなされたものであり、その目的とするところは１台で複写機とプリンターの両機能を有する画像形成装置を提供しようとするものである。（中略）この発明は複写機に外部装置から送られてくる画像情報を受信するインターフェース部を設け、このインターフェース部によって受信される画像情報を画像形成部に供給して印字させることによりプリンターの機能を持たせるとともに、複写機あるいはプリンターの何れか一方として動作中に他方から送られてくる画像情報を一時記憶しておき、一方の動作が終了した後に前記記憶された画像情報を形成出力するものである。（中略）第１図，第２図はこの発明に係わる画像形成装置を概略的に示すものである。装置本体１の上面前部には操作パネル２が設けられ、この本体１の左側部には原稿台（透明ガラス板）７上にセットされた原稿を走査して読取る原稿走査部８が設けられている。」（第２頁右上欄第６行〜同頁左下欄第１４行）
（ウ）「第８図は前記操作パネル２を示すものである。この操作パネル２には原稿コピーの拡大、縮小等を設定する倍率設定部１１７、コピーの濃さを各色ごとに設定する濃度設定部１１８、コピーの色を設定する色設定部１１９が設けられる。この色設定部１１９は例えば赤ボタンを押せば、赤のみで印字が行われカラー（COLOR）スイッチを押せば全色で印字が行われるようになされている。さらに、操作パネル２にはコピー枚数、コピー可能（あるいはREADY）、インクリボンの色等を表示する表示部１２０、原稿の画像を記憶させるためのMEMORY操作部１２１（SETスイッチで記憶,RESETスイッチで解除）、コピー枚数等を設定するためのキーボード１２２、コピースタート、割込みコピー等を設定するコピー設定部、複写機モード(PPCモード)、プリントモード、オートモード（Autoモード）を切換え設定する機能設定部１２４が設けられている。尚、これら各設定部のスイッチには例えばランプが内蔵されており、スイッチを押すとこのランプが点灯され、そのスイッチが選択されたことを表示するようになされている。また、前記色設定部１１９において何れのスイッチも押されない場合は原稿の画像を全色で再現するカラーモードとなる。第９図は制御回路を概略的に示すものである。制御部１０６は画像形成装置全体の制御を行うものであり、この制御部１０６には前記走査部８，信号変換部１０２，記憶部１０３，画像形成部９，操作パネル２，インターフェース部１０７が接続されている。」（第４頁左上欄第２０行〜同頁左下欄第１０行）
（エ）「インターフェース部１０７は図示せぬ外部装置例えばコンピュータのCRTディスプレイ等と画像信号の授受を行うものであり、詳細は後述する。」（第５頁左上欄第１〜４行）
（オ）「外部から伝送された信号がインターフェース部１０７，信号変換部１０２，記憶部１０３，あるいは記憶せず直接形成部９へ順次供給され印字される。」（第５頁右上欄第３〜６行）
（カ）「次に、前記インターフェース部１０７について説明する。第１１図において、インターフェース部１０７には文字あるいは画像信号を出力するコンピュータ等の外部装置２０１が接続される。」（第５頁左下欄第４〜８行）
（キ）「次に、第１７図（ｅ）を用いてオートモードにおいて、プリンタとして動作中に複写機モードを要求された場合の動作について説明する。この場合は先ず、ステップ２８４でフラグがクリアされる。この後、ステップ２７５でPRINTER　BUSYなるステイタス信号がセットされ、走査パネル２の機能設定部１２４におけるプリンタモードのスイッチが点灯され、装置本体がプリンタとして動作中であることが表示される。この後、制御がステップ２７６に移行され、何色のインクリボンを印字するかが判断される。この色信号はCOLORなるコマンド信号によってインターフェース部１０７へ供給される。前記判断の結果、画像形成部９に対応するインクリボンが無い場合は制御がステップ２７６から２７７に移行され、外部装置２０１にCOLOR ERRORなるステイタス信号が送出される。この後、制御がステップ右２７７から２５０へ移行される。一方、指定された色がある場合は制御がステップ２７６から２７８へ移行され、一色の印字動作が行われる。この印字中に、コピーモードが要求されると、制御がステップ２８５へ移行され、フラグがセットされる。この後、ステップ２８０において、走査部８，信号変換部１０２を介して得られた複写データが記憶部１０３に記憶され、制御がステップ２８１に移行される。このステップ２８１において、全色の印字が終了したか否かが判断され、終了していない場合はステップ２７６，２７８，２７９，２８５，２８０，２８１のループが繰返し実行され、全色の印字が終了された場合、制御がステップ２８６に移行される。このステップ２８６ではフラグの有無が判断される。この場合フラグ有りであるから制御がステップ２８２に移行され、前記記憶された複写データが印字される。」（第８頁左下欄第２行〜同頁右下欄第１６行）
（ク）「以上詳述したようにこの発明によれば、１台で多色表現可能な複写機とプリンターの両機能を得ることができ、しかも、複写機あるいはプリンターの何れか一方として動作中に他方の機能を要求された際、他方から送られて来る画像情報を一時記憶しておき、一方の動作が終了した後に前記記憶された画像情報を形成出力することにより、一度に２つの経路の異なる画像情報を処理し得る画像形成装置を提供できる。」（第９頁右上欄第１４行〜同頁左下欄第２行）
　
（２）同じく、当審が通知した取消理由に引用した刊行物２（特開平１−２５８５５０号公報）（甲第２号証）には、以下の事項が記載されている。
（ア）「（１）原稿を光電的に読み取る画像読取手段と、読み取った画像情報を記憶する画像情報記憶手段と、記憶された画像情報を複写する複写手段と、上記画像読取手段、画像情報記憶手段、複写手段を制御する制御手段と、上記制御手段に指令を与える操作手段と、上記制御手段、操作手段の情報を表示する表示手段を有し、先行原稿に対応する上記複写手段の作動中に読み取るべき後続原稿に対応する所要の操作を上記操作手段に入力し、上記操作手段への入力に対応した制御手段の制御により、後続原稿を読み取り、記憶手段に記憶し、先行原稿に対応する複写手段の作動終了後、後続原稿に対応する複写手段の作動を開始するよう制御されるデジタル画像形成装置において、先行原稿に対応する複写手段の作動中に後続原稿に対応する操作手段への所要の操作入力を表示手段に表示可能にした事を特徴とするデジタル画像形成装置。」（第１頁特許請求の範囲）
（イ）「本発明は２枚以上の原稿を読みとれるメモリーを備えている、デジタル複写機、ファクシミリ、プリンター等のデジタル画像形成装置に関する。［従来の技術］複数の記憶領域を有し、違う原稿に対する書き込みと読み取りを同時に行う事ができるデジタル複写機は広く知られている。この場合の操作手順としては、まず、先行原稿に対応する、操作手段への操作入力（複写条件設定）を行い、これを確認する意味で、表示手段に表示する。尚、この場合の表示は、セット枚数、コピー枚数、複写サイズ、濃度等の一般の複写機でも行っている表示である。次に先行原稿の読み取りが終了し、書き込みが開始されたら、後続原稿の複写条件を操作手段により設定する。そしてこれも表示手段に表示する。」（第１頁右下欄第１５行〜第２頁左上欄第１１行）
（ウ）「第６図に操作装置（第１図、第２図参照）の平面図を示す。この操作、表示パネルには、テンキー５０、エンターキー５１、クリアーキー５２、ストップキー５３、リスタートキー５４、プログラムキー５５、モードクリアキー５６、割込みキー５７、濃度設定キー群５８、変倍設定キー群５９、オートモードキー６０、その他のキーがあり、またオートモード表示部６１、変倍表示部６２、用紙選択、コピー枚数等の表示部６３がある。（中略）違う原稿に対する書き込みと読み取りを同時に行うことをクイックスタートと呼ぶこととする。例えば、メモリー１を書込装置１２より用紙に書き込んでいる時に、メモリー２〜４は読取装置１０によって原稿を読取ることができる。」（第３頁左下欄第１３行〜同頁右下欄第１２行）
　
（３）同じく、当審が通知した取消理由に引用した刊行物３（特開昭６０−１９１６０号公報）（甲第３号証）には、以下の事項が記載されている。
（ア）「記録ドラムに潜像を形成するための潜像形成動作と該潜像をトナー現像しコピー紙に転写及び定着させるコピー動作とからなる磁気印写式複写機において、前記潜像形成動作を開始させ該動作に引き続いて行われる前記コピー動作を行わせるスタートキーと、潜像形成モードを設定する第１のモード選択キーと、コピーモードを設定する第２のモード選択キーと、通常の場合前記各キーを操作状態と予約された前記各キーの操作状態を記憶する記憶手段と、該記憶手段の内容に基づき複写機が潜像形成動作中であるか否かを判定する判定手段と、該判定手段の判定結果と前記各キーの出力に基づき各キーの操作状態を表す信号を作成し前記記憶手段に出力する制御手段と、コピー動作の終了を検出する制御手段と、コピー動作の終了を検出する検出手段と、前記各キーの操作状態に対応した動作を行わせるための制御信号を作成しコピー動作終了後予約された各キーの操作状態に従って駆動部に出力する制御信号作成手段と、前記予約された各キーの操作状態を表示することを表示手段とを具備することを特徴とする磁気印写式複写機の予約コピー制御装置。」（第１頁特許請求の範囲）
（イ）「本発明は、磁気印写式複写機において現在実行中のコピー動作を終了後予め設定したモードに従って自動的にコピーを開始させる予約コピー制御装置に関する。」（第１頁右下欄第９〜１２行）
（ウ）「記憶手段５は通常の場合、すなわち予約動作以外における各キー１〜３の操作状態と、予約された場合、すなわち現在実行中のコピー動作終了後自動的に行われるキー操作の状態を記憶する。」（第２頁右上欄第１６〜２０行）
（エ）「以上説明したように、繁発明によればコピー終了を待たずして次のコピー原稿をセットし、任意のモードが設定でき、人がその場を離れていても継続して次のコピーが行われるので、コピー時間の短縮化及びコピー作業の効率化が図れる。」（第５頁右上欄第４〜８行）
　　　
（４）同じく、当審が通知した取消理由に引用した刊行物４（特開昭６３−１３９８７９号公報）（甲第４号証）には、以下の事項が記載されている。
（ア）「１．画像形成装置本体の排紙部に付設された複数のビンを持ったソータと、このソータの１つのビンを指定するビン指定キーと、ソータの１つのビンを排紙しうる状態にするビン作動手段と、指定キーによって指定される１つのビンについて、ビン作動手段に作動信号を出力する制御手段とを備えた画像形成装置。
２．ビン形成キーが、画像形成枚数を指定するテンキーであり、制御手段が、テンキーによって指定される１つのビンについて、ビン作動手段に作動信号を出力する特許請求の範囲第１項に記載の画像形成装置。」（第１頁特許請求の範囲）
（イ）「この発明は、画像形成装置本体の排紙部に付設された複数のビンを持ったソータと、このソータの１つのビンを指定すビン指定キーと、ソータの１つのビンを排紙しうる状態にするビン作動手段と、指定キーによって指定される１つのビンについて、ビン作動手段に作動信号を出力する制御手段とを備えた画像形成装置である。すなわち、この発明は、ビン指定キーと、１つのビンを排紙しうる状態にしうるビン作動手段と、特定の制御手段とを備えることによって、簡単な構成にて任意にビンを指定しそこに画像形成物を分配できるようにするものである。」（第２頁左上欄第６〜１７行）
（ウ）「まず、第１〜２図において、このレーザプリンタ１は、プリンタ本体２と、この本体の排紙部３に付設された複数のビンＢ１，Ｂ２，Ｂ３…を持つソータ４と、このソータの１つのビンを指定するビン指定キーとしてのテンキー５と、ビン操作キー６と、ソータの１つのビンを排紙しうる状態にするビン作動手段７と、制御手段としてのマイクロコンピュータ９とから主としてなる。」（第２頁右上欄第２〜９行）
（エ）「この発明によれば、簡単な構成にて、１つのビンを指定してそこに画像形成物を分配することができる。」（第３頁左上欄第８〜１０行）
　　　
５．対比・判断
（１）請求項１に係る発明について
　請求項１に係る発明と刊行物１乃至４に記載された発明とを対比すると、
　刊行物１乃至４に記載された発明はいずれも、請求項１に記載された発明の要件である「前記スキャナにより読み取られた原稿の画像信号、各種画像処理を行う画像処理された画像情報及び外部から入力された画像情報を記憶し、前記プリンタ、外部装置及び前記画像処理回路へ出力可能なメモリ」と「画像情報処理、前記プリンタの画像記録動作及び前記画像メモリへの画像情報の格納動作の制御を行う制御手段」を備え「画像記録動作時、原稿画像の読み取り指令を受けた時には、前記制御手段は前記スキャナが読み取って画像処理された原稿画像あるいは画像処理されていない原稿画像の画像情報のいずれかを全て前記画像メモリに格納させ、画像記録動作終了時、前記画像メモリに格納された画像情報を直ちに読み出し、前記画像処理された原稿画像の画像情報はそのまま、前記画像処理されていない原稿画像の画像情報は前記画像処理回路で画像処理した後、前記プリンタに出力すること」について開示も示唆もしない。　そして、請求項１に係る発明は、上記要件を有することにより、明細書記載の効果を奏するものであるから、請求項１に係る発明は、刊行物１乃至４に記載された発明であるとも、刊行物１乃至４に記載された発明に基いて当業者が容易に発明をすることができた発明であるともいえない。
　　
６．むすび
　以上のとおりであるから、特許異議申立の理由によっては、本件請求項１に係る発明についての特許を取り消すことはできない。
　また、他に本件請求項１に係る発明についての特許を取り消すべき理由を発見しない。
　したがって、本件請求項１についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年５月３０日（２００１．５．３０）
【訂正の要旨】
訂正の要旨
（１）前述の訂正事項ａの訂正は、本件特許請求の範囲に係る発明の構成要件である
「【請求項１】動作指令等の操作情報入力を行う操作部と、原稿画像を読み取るスキヤナと、画像情報を記憶する画像メモリと、画像記録動作を行うプリンタと、画像情報処理と前記プリンタの画像記録動作の制御を行う制御手段を備え、原稿画像を読み取つた画像情報の外に、フアクシミリ等の他の画像情報出力装置としての機能を合わせ持つた複合デジタル複写機において、前記プリンタによる前記画像情報出力装置の画像記録動作時、操作部の操作による原稿画像の読み取り指令を受けた時には、前記制御手段は前記スキヤナに原稿画像を読み取らせ、前記スキヤナが読み取つた原稿画像の画像情報を全て前記画像メモリに格納すると共に、前記画像情報出力装置の画像記録動作終了時、直ちに前記画像メモリに格納された画像情報を読み出して前記プリンタに出力し、前記プリンタによる画像記録動作を行わせる制御を行うことを特徴とした複合デジタル複写機。
　【請求項２】　請求項１の記載において、画像メモリに格納された画像情報のプリンタによる画像記録動作時、操作部の操作による次の原稿画像の読み取り指令を受けた時には、制御手段は直ちに前記スキヤナによる原稿画像の読み取りと、画像情報の画像メモリヘの格納動作を行わせる制御を行うことを特徴とした複合デジタル複写機。
　【請求項３】　請求項１または２の記載において、制御手段は操作部で入力された複写モードのデータを記憶し、画像メモリに格納された画像情報のプリンタによる画像記録動作時、前記記憶した複写モードデータに従った前記プリンタによる画像記録動作を行わせる制御を行うことを特徴とした複合デジタル複写機。
　【請求項４】　請求項３の記載において、プリンタから排出された記録シートを仕分けするソータを備えると共に、操作部には前記ソータの出力を希望するビンを指定する指定キーを有することを特徴とした複合デジタル複写機。」
を、より下位概念である
「【請求項１】動作指令等の操作情報入力を行う操作部と、原稿画像を読み取るスキヤナと、画像記録動作を行うプリンタと、前記スキャナにより読み取られた原稿の画像情報、各種画像処理を行う画像処理回路で画像処理された画像情報及び外部から入力された画像情報を記憶し、前記プリンタ、外部装置及び前記画像処理回路へ出力可能な画像メモリと、画像情報処理、前記プリンタの画像記録動作及び前記画像メモリヘの画像情報の格納動作の制御を行う制御手段とを備え、原稿画像を読み取った画像情報の外に、ファクシミリ等の他の画像情報出力装置としての機能を合わせ持つた複合デジタル複写機において、前記プリンタによる前記画像情報出力装置の画像記録動作時、前記操作部の操作による原稿画像の読み取り指令を受けた時には、前記制御手段は前記スキヤナに原稿画像を読み取らせ、前記スキヤナが読み取つて画像処理された原稿画像あるいは画像処理されていない原稿画像の画像情報のいずれかを全て前記画像メモリに格納させると共に、前記画像情報出力装置の画像記録動作終了時、直ちに前記画像メモリに格納された画像情報を読み出し、前記画像処理された原稿画像の画像情報はそのまま、前記画像処理されていない原稿画像の画像情報は前記画像処理回路で画像処理した後、前記プリンタに出力し、前記プリンタによる画像記録動作を行わせる制御を行うことを特徴とした複合デジタル複写機。」
に限定しようとするものである。
（２）前述の訂正事項ｂの訂正は、本件特許請求の範囲における請求項１〜４の記載に対応する発明の詳細な説明の欄の記載
「【課題を解決するための手段】上記目的は、動作指令等の操作情報入力を行う操作部と、原稿画像を読み取るスキヤナと、画像情報を記憶する画像メモリと、画像記録動作を行うプリンタと、画像情報と前記プリンタの画像記録動作の制御を行う制御手段を備え、原稿画像を読み取つた画像情報の外に、フアクシミリ等の他の画像情報出力装置としての機能を合わせ持つた複合デジタル複写機において、前記プリンタによる前記画像情報出力装置の画像記録動作時、操作部の操作による原稿画像の読み取り指令を受けた時には、前記制御手段は前記スキヤナに原稿画像を読み取らせ、前記スキヤナが読み取つた原稿画像の画像情報を全て前記画像メモリに格納すると共に、前記画像情報出力装置の画像記録動作終了時、直ちに前記画像メモリに格納された画像情報を読み出して前記プリンタに出力し、前記プリンタによる画像記録動作を行わせる制御を行う第１の手段により達成される。また上記目的は、第１の手段において、画像メモリに格納された画像情報のプリンタによる画像記録動作時、操作部の操作による次の原稿画像の読み取り指令を受けた時には、制御手段は直ちに前記スキヤナによる原稿画像の読み取りと、画像情報の画像メモリヘの格納動作を行わせる制御を行う第２の手段により達成される。また上記目的は、第１または第２の手段において、制御手段は操作部で入力された複写モードのデータを記憶し、画像メモリに格納された画像情報のプリンタによる画像記録動作時、前記記憶した複写モードデータに従つた前記プリンタによる画像記録動作を行わせる制御を行う第３の手段により達成される。
　さらに上記目的は、第３の手段において、プリンタから排出された記録シートを仕分けするソータを備えると共に、操作部には前記ソータの出力を希望するビンを指定する指定キーを有する第４の手段により達成される。」
を、
「【課題を解決するための手段】上記目的は、動作指令等の操作情報入力を行う操作部と、原稿画像を読み取るスキヤナと、画像記録動作を行うプリンタと、前記スキャナにより読み取られた原稿の画像情報、各種画像処理を行う画像処理回路で画像処理された画像情報及び外部から入力された画像情報を記憶し、前記プリンタ、外部装置及び前記画像処理回路へ出力可能な画像メモリと、画像情報処理、前記プリンタの画像記録動作及び前記画像メモリヘの画像情報の格納動作の制御を行う制御手段とを備え、原稿画像を読み取つた画像情報の外に、フアクシミリ等の他の画像情報出力装置としての機能を合わせ持つた複合デジタル複写機において、前記プリンタによる前記画像情報出力装置の画像記録動作時、前記操作部の操作による原稿画像の読み取り指令を受けた時には、前記制御手段は前記スキヤナに原稿画像を読み取らせ、前記スキヤナが読み取って画像処理された原稿画像あるいは画像処理されていない原稿画像の画像情報のいずれかを全て前記画像メモリに格納させると共に、前記画像情報出力装置の画像記録動作終了時、直ちに前記画像メモリに格納された画像情報を読み出し、前記画像処理された原稿画像の画像情報はそのまま、前記画像処理されていない原稿画像の画像情報は前記画像処理回路で画像処理した後、前記プリンタに出力し、前記プリンタによる画像記録動作を行わせる制御を行う第１の手段により達成される。」
として対応させたものである。
（３）前述の訂正事項ｃの訂正は本件特許請求の範囲における請求項１〜４の記載に対応する発明の詳細な説明の欄の記載
「【作用】フアクシミリ等の画像情報出力装置のプリンタによる画像記録動作時、操作部のスタートキーが押下されて、スキヤナによる原稿画像の読み取り指令を受けた時には、制御手段はスキヤナに原稿画像を読み取らせ、スキヤナが読み取つた原稿画像の画像情報を全て画像メモリに格納する。画像情報出力装置のプリンタによる画像記録動作が終了すると、直ちに画像メモリに格納された画像情報を読み出してプリンタに出力し、プリンタは画像メモリに格納された画像情報による画像記録動作を行う。画像メモリに格納された画像情報のプリンタによる画像記録動作時、次の原稿画像の読み取り指令を受けた時には、制御手段は直ちにスキヤナによる次の原稿画像の読み取りと、画像情報の画像メモリヘの格納動作を行わせる。操作部で複写モードを入力した時は、制御手段はその複写モードデータをメモリに記憶させ、画像メモリに格納された原稿画像の画像情報の画像記録動作時、前記メモリに記憶された複写モードデータに従つた画像記録動作をプリンタに行わせる制御を行う。操作部の指定キーを操作して、ソータの出力を希望するビンを指定した時は、プリンタから排出された記録シートはその指定したビンに排出される。」
を、
「【作用】フアクシミリ等の画像情報出力装置のプリンタによる画像記録動作時、操作部のスタートキーが押下されて、スキヤナによる原稿画像の読み取り指令を受けた時には、制御手段はスキヤナに原稿画像を読み取らせ、スキヤナが読み取つた原稿画像の画像情報を全て画像メモリに格納する。画像情報出力装置のプリンタによる画像記録動作が終了すると、直ちに画像メモリに格納された画像情報を読み出してプリンタに出力し、プリンタは画像メモリに格納された画像情報による画像記録動作を行う。」
として対応させたものである。
（４）前述の訂正事項ｄの訂正は、本件特許請求の範囲における請求項１〜４の記載に対応する発明の詳細な説明の欄の記載
「【発明の効果】請求項１記載の発明によれば、複写機が他の画像情報出力装置のプリント出力を行っている場合においても、プリンタの稼働状態に関係なく原稿画像の読み込み作業を完了して他の作業に移ることができるようになるため、複写作業効率が向上する。読み込まれたデータは、画像情報出力装置によるプリント終了次第、速やかに出力され、コピーは必要な時に必要な人が取りに行けば済むようになる。
　請求項２記載の発明によれば、画像メモリに蓄積された画像データに基づきプリント出力を行っている場合においても、新たな原稿の読み込みが行える。
　請求項３記載の発明によれば、原稿の読み込みを行う時点で出力条件を設定でき、原稿ごとに出力条件を指定できる。
　請求項４記載の発明によれば、多数の原稿の読み込みが多数の人によって行われた場合などでも特定の操作者の指定したソータのビンにコピーの出力を予約できるようになり、他のメンバーのコピーとの区別が容易となる。」
を
「【発明の効果】請求項１記載の発明によれば、複写機が他の画像情報出力装置のプリント出力を行っている場合においても、プリンタの稼働状態に関係なく原稿画像の読み込み作業を完了して他の作業に移ることができるようになるため、複写作業効率が向上する。読み込まれたデータは、画像情報出力装置によるプリント終了次第、速やかに出力され、コピーは必要な時に必要な人が取りに行けば済むようになる。」
として対応させたものである。
（５４）【発明の名称】
複合デジタル複写機
（５７）【特許請求の範囲】
　【請求項１】　動作指令等の操作情報入力を行う操作部と、
　原稿画像を読み取るスキヤナと、
　画像記録動作を行うプリンタと、
　前記スキャナにより読み取られた原稿の画像情報、各種画像処理を行う画像処理回路で画像処理された画像情報及び外部から入力された画像情報を記憶し、前記プリンタ、外部装置及び前記画像処理回路へ出力可能な画像メモリと、
　画像情報処理
、
　原稿画像を読み取つた画像情報の外に、フアクシミリ等の他の画像情報出力装置としての機能を合わせ持つた複合デジタル複写機において、
　前記プリンタによる前記画像情報出力装置の画像記録動作時、前記操作部の操作による原稿画像の読み取り指令を受けた時には、前記制御手段は前記スキヤナに原稿画像を読み取らせ、前記スキヤナが読み取つて画像処理された原稿画像あるいは画像処理されていない原稿画像の画像情報のいずれかを全て前記画像メモリに格納させると共に、前記画像情報出力装置の画像記録動作終了時、直ちに前記画像メモリに格納された画像情報を読み出し、前記画像処理された原稿画像の画像情報はそのまま、前記画像処理されていない原稿画像の画像情報は前記画像処理回路で画像処理した後、前記プリンタに出力し、前記プリンタによる画像記録動作を行わせる制御を行うことを特徴とした複合デジタル複写機。
【発明の詳細な説明】
　【０００１】
　【産業上の利用分野】
　本発明はフアクシミリ、端末としてのオンラインプリンタ、ハードディスクやフロッピーディスクなどの出力を行うオフラインプリンタ等の機能の少なくとも１つを有する複合デジタル複写機に関する。
　【０００２】
　【従来の技術】
　上記の複合デジタル複写機においては、通常の複写動作を行おうとした時、他の画像情報出力装置（フアクシミリ、オンラインプリンタ、オフラインプリンタ等）による記録画像出力をプリンタ部で行つている場合がある。
　このようなとき従来の装置では、他の画像情報出力装置による記録画像の出力が終了するまで複写作業を待たなければならなつかた。
　【０００３】
　【発明が解決しようとする課題】
　従つて従来の装置においては、デジタル複写機の複合化が進む程、プリンタ部が使用中の頻度が高くなり、通常の複写作業の待ち時間が増大し、複写効率が低下するという問題があつた。
　本発明はこのような背景に基づいてなされたものであり、他の画像情報出力装置によりプリンタ部が稼働状態の場合でも、原稿の読み取り動作を行わせることにより、オペレータの待ち時間をなくす、言い換えるとオペレータはその場を離れ他の作業を行うことができる、複写作業効率の優れた複合デジタル複写機を提供することを目的とする。
　【０００４】
　【課題を解決するための手段】
　上記目的は、動作指令等の操作情報入力を行う操作部と、原稿画像を読み取るスキヤナと、画像記録動作を行うプリンタと、前記スキャナにより読み取られた原稿の画像情報、各種画像処理を行う画像処理回路で画像処理された画像情報及び外部から入力された画像情報を記憶し、前記プリンタ、外部装置及び前記画像処理回路へ出力可能な画像メモリと、画像情報処理、前記プリンタの画像記録動作及び前記画像メモリヘの画像情報の格納動作の制御を行う制御手段とを備え、原稿画像を読み取つた画像情報の外に、フアクシミリ等の他の画像情報出力装置としての機能を合わせ持つた複合デジタル複写機において、前記プリンタによる前記画像情報出力装置の画像記録動作時、前記操作部の操作による原稿画像の読み取り指令を受けた時には、前記制御手段は前記スキヤナに原稿画像を読み取らせ、前記スキヤナが読み取つて画像処理された原稿画像あるいは画像処理されていない原稿画像の画像情報のいずれかを全て前記画像メモリに格納させると共に、前記画像情報出力装置の画像記録動作終了時、直ちに前記画像メモリに格納された画像情報を読み出し、前記画像処理された原稿画像の画像情報はそのまま、前記画像処理されていない原稿画像の画像情報は前記画像処理回路で画像処理した後、前記プリンタに出力し、前記プリンタによる画像記録動作を行わせる制御を行う第１の手段により達成される。
　【０００５】
　【作用】
　フアクシミリ等の画像情報出力装置のプリンタによる画像記録動作時、操作部のスタートキーが押下されて、スキヤナによる原稿画像の読み取り指令を受けた時には、制御手段はスキヤナに原稿画像を読み取らせ、スキヤナが読み取つた原稿画像の画像情報を全て画像メモリに格納する。画像情報出力装置のプリンタによる画像記録動作が終了すると、直ちに画像メモリに格納された画像情報を読み出してプリンタに出力し、プリンタは画像メモリに格納された画像情報による画像記録動作を行う。
　【０００６】
　【実施例】
　以下、本発明の実施例を図面に基づき説明する。
　図２は一実施例に係るデジタル複写機全体の構成図、図３はそのデジタル複写機における書き込み部の分解平面図、図４はそのデジタル複写機における書き込み部の分解側面図である。
　これらの図に基づいてデジタル複写機の概略構成について説明する。
　デジタル複写機は図２に示すように複写機本体Ａと、自動原稿送り装置（ＡＤＦ）Ｂと、ソータＣと、両面反転ユニットＤとの４つのユニットから構成されている。
　前記複写機本体Ａは、スキヤナ部、書き込み部、感光体部、現像部ならびに給紙部などを備えている。次に以上各部の構成、動作などについて説明する。
（スキヤナ部）
　反射鏡２０と光源２１と第１ミラー２２とを装備して一定の速度で移動する第１スキヤナと、第２ミラー２３ならびに第３ミラー２４を装備して前記第１スキヤナの１／２の速度で第１スキヤナに追従して移動する第２スキヤナとを有している。この第１スキヤナによりコンタクトガラス２５上の原稿（図示せず）を光学的に走査し、その反射像を色フイルタ２６を介してレンズ２７に導き、１次元固体撮像素子２８上に結像させる。
　光源２１には蛍光灯やハロゲンランプなどが使用されるが、波長が安定していて寿命が長いなどの理由から一般に蛍光灯が使用されている。この実施例では１本の光源２１に反射鏡２０が取り付けられているが、２本以上の光源を使用することもある。固体撮像素子２８が一定のサンプリングクロツクに従つて画素データを出力するため、蛍光灯はそれより高い周波数で点滅しないと画像に悪影響を与える。
　固体撮像素子２８としては一般にＣＣＤが用いられる。固体撮像素子２８で読み取つた画像信号はアナログ値であるので、アナログ／デジタル（Ａ／Ｄ）変換され、画像処理基板２９にて種々の画像処理（２値化、多値化階調処理、変倍処理、編集など）が施され、スポット画素の集合を表すデジタル信号に変えられる。
　カラーの画情報を得るために本実施例では、原稿面から固定撮像素子２８に導かれる光路途中に、必要色の情報だけを透過する色フイルタ２６が出し入れ可能に配設してある。原稿画像の読み取りに合わせて色フイルタ２６の出し入れを行い、多重転写、両面コピーなどの各種機能に合わせて、多種多様のコピーが作成できるようになつている。
（書き込み部）
　画像処理後の画像情報は、光書き込み部においてレーザ光のラスタ走査にて明暗の光点の集合の形に変換され、感光体ドラム３０上に書き込まれる。
　半導体レーザ３１から発せられたレーザ光は、コリメートレンズ３２で平行な光束に変えられ、アパーチヤ３３により一定形状の光束に整形される。整形されたレーザ光は、第１シリンダレンズ３４により副走査方向に圧縮されてポリゴンミラー３５に入射する。このポリゴンミラー３５は正確な多角形をしており、ポリゴンモータ３６により一定方向に一定の速度で回転している。この回転速度は感光体ドラム３０の回転速度と書き込み密度とポリゴンミラー３５の面数により決定される。
　ポリゴンミラー３５に入射されたレーザ光は、その反射光がポリゴンミラー３５の回転により偏向される。偏向されたレーザ光は、ｆθレンズ３７ａ，３７ｂに順次入射する。ｆθレンズ３７ａ，３７ｂは角速度一定の走査光を感光体ドラム３０上で等速走査するように変換して、感光体ドラム３０上で最小光点となるように結像させると共に、さらに面倒れ補正機構も有している。
　ｆθレンズ３７ａ，３７ｂを通過したレーザ光は、画像域外で同期検知ミラー３８により同期検知入光部３９に導かれ、さらに光フアイバにより光センサ部に伝播される。光センサ部から主走査方向の頭出し信号を出す同期信号が出てから一定時間後に画像データが１ライン分出力され、以下これを繰り返すことにより１画面の画像が形成されることになる。
（感光体部）
　感光体ドラム３０上の周面に感光層が形成されている。半導体レーザ光（波長７８０ｎｍ）に対して感度のある感光層として有機感光体（ＯＰＣ）、α−Ｓｉ，Ｓｅ−Ｔｅなどが知られており、本実施例では前記有機感光体（ＯＰＣ）を使用している。
　一般にレーザ書き込みの場合、濃画像部に明光を当てるネガ／ポジ（Ｎ／Ｐ）プロセスと、地肌部に明光を当てるポジ／ポジ（Ｐ／Ｐ）プロセスの２通りがあり、本実施例では前者のＮ／Ｐプロセスを採用している。
　帯電チヤージヤ４１は感光体側にグリツドを有するスコロトロン方式のもので、感光体ドラム３０の表面を均一に（−）帯電し、画像形成部にレーザ光を照射してその部分の電位を落とす。そうすると感光体ドラム３０表面の地肌部が−７５０〜−８００Ｖ、画像部が−５００Ｖ程度の電位となつて、感光体ドラム３０の表面に静電潜像が形成される。これを現像器４２ａ，４２ｂで現像ローラに−５００〜−６００Ｖのバイアス電圧を与え、（−）に帯電したトナーを付着して前記静電潜像を顕像化する。
（現像部）
　本実施例の装置は主現像器４２ａと副現像器４２ｂの２つの現像器を備えている。黒一色の場合は前記副現像器４２ｂとトナー補給器４３ｂを取り外すようになつている。現像器を２つ有する本実施例では、主現像器４２ａとペアになるトナー補給器４３ａに黒トナーを入れ、副現像器４２ｂとペアになるトナー補給器４３ｂにカラートナーを入れることにより、１色の現像中に他色の現像器の主極位置を変えるなどして選択的に現像を行う。
　この現像を、スキヤナの色フイルタ２６の切り換えによる色情報の読み取り、紙搬送系の多重転写、両面複写機能と組み合わせて多機能なカラーコピー、カラー編集が可能となる。３色以上の現像は、感光体ドラム３０の周囲に３つ以上の現像器を並べる方法、３つ以上の現像器を回転して切り換えるレボルバー方式などがある。
　現像器４２ａ，４２ｂで顕像化された画像は、感光体ドラム３０の回転に同期して送られた紙面上に、紙の裏面から転写チヤージヤ４４により（＋）のチヤージをかけられて転写される。転写された紙は、転写チヤージヤ４４と一体に保持された分離チヤージヤ４５にて交流除電され、感光体ドラム３０から分離される。
　紙に転写されず感光体ドラム３０に残つたトナーは、クリーニングブレード４６により感光体ドラム３０からかき落とされ、付属のタンク４７に回収される。さらに感光体ドラム３０に残つている電位パターンは除電ランプの光照射により消去される。
　現像がなされた直後の感光体ドラム３０上の画像の対向位置に、フオトセンサ４８が設けられている。このフオトセンサ４８は発光素子と受光素子とのペアからなり、感光体ドラム３０表面の濃度光反射強度を検出している。これは光書き込み部で一定のパターン（例えば、真黒または網点のパターン）を、フオトセンサ読み取り位置に対応した位置に書き込み、これを現像した後のパターン部の反射率とパターン部以外の感光体ドラム３０の地肌部の反射率の比から画像の濃度を判断し、薄い場合はトナー補給信号を出す。また、補給後も濃度が上がらないことを利用してトナー残量不足を検知することもできる。
（給紙部）
　本実施例では、複数のカセット５０ａ，５０ｂ，５０ｃを持ち、一度転写した紙を再給紙ループ５１に通し、両面コピーまたは再給紙が可能になつている。
　複数のカセツト５０ａ，５０ｂ，５０ｃのうちから一つのカセツト５０が選択された後、スタートボタンが押されると、選択されたカセツト５０の近傍にある給紙コロ５２（５２ａ，５２ｂ，５２ｃ）が回転し、紙の先端がレジストローラ５３に突き当たるまで給送される。レジストローラ５３はこの時止まつているが、やがて感光体ドラム３０に形成された画像位置とタイミングをとつて回転を開始し、感光体ドラム３０の周面に対して紙を送る。その後、紙は転写部でトナー像の転写が行われ、分離搬送部５４にて吸引搬送されて、ヒートローラ５５と加圧ローラ５６の対からなる定着ローラによって、転写されたトナー像を紙面上に定着する。
　このようにして転写された紙は通常のコピー時は、切換爪５７によりソータＣ側の排紙口へ導かれる。一方、多重コピー時は、切換爪５８，５９により方向を変えられることなく下側の再給紙ループ５１を通過して、再度レジストローラ５３へ導かれる。
　両面コピーの場合は、複写機本体Ａのみで行う場合と、両面反転ユニットＤを使用する場合の２通りがあり、ここでは前者の場合について説明する。切換爪５７で下方に導かれた紙はさらに切換爪５８に導かれ、次の切換爪５９で再給紙ループ５１よりさらに下のトレー６０へ導かれる。そしてローラ６１の反転により逆方向に再度送られ、切換爪５９の切り換えにより再給紙ループ５１へ導かれて、レジストローラ５３に送給される。
　【０００７】
　次にＡＤＦ・Ｂについて説明する。
　このＡＤＦは原稿を１枚ずつコンタクトガラス２５上へ導き、コピー後に排出する動作を自動的に行うものである。
　原稿給紙台６２に載置された原稿の積層体は、サイドガイド６３によつて原稿の幅方向が揃えられる。載置された原稿は給紙コロ６４で１枚ずつ分離して給紙され、搬送ベルト６５の回転でコンタクトガラス２５上の所定位置まで運ばれて位置決めされる。
　所定枚数のコピーが終了すると、原稿は再度搬送ベルト６５の回転により排紙トレー６６へ排紙される。なお、前記サイドガイド６３の位置と原稿の送り時間を計測することにより、原稿サイズの検知を行うことができる。
　６７はＡＤＦの開閉を検知するためのマグネツトであり、ＡＤＦの動作により本体側に設けられたリードスイツチ６８が動作し開閉検知を行う。これはＡＤＦの代わりに圧板（図示せず）であつても同様に圧板に取り付けられたマグネツトで開閉検知を行うことができる。
　【０００８】
　次にソータについて説明する。
　複写機本体Ａから排紙されたコピー紙を例えば、ページ順、ページ毎、あるいは予め設定されたビン７０（７０ａ〜７０ｘ）に選択的に送給する装置である。モータ７１により回転する複数のローラにより送られるコピー紙が、各ビン７０の入口付近にある爪の切り換えにより、選択されたビン７０へ導かれる。またビン７２は厚紙等の特殊紙、または割込みモード等に用いるビンである。
　【０００９】
　次に両面反転ユニツトＤについて説明する。
　前述のように複写機本体Ａは一枚毎の両面コピーしかできないが、この両面反転ユニツトＤを付設することにより、まとめて両面コピーをすることが可能である。
　複数枚まとめて両面コピーをとる時、排紙コロ７３で下方に導かれた紙は、次の切換爪５７で両面反転ユニツトＤへ送られる。両面反転ユニツトＤへ入つた紙は、排紙ローラ７４でトレー（図示せず）上に集積される。その際、送りローラ７６、側面揃えガイド７７によりコピー紙の縦、横が揃えられる。トレー上に集積されたコピー紙は再給紙コロ７８により裏面コピー時に再給紙される。この時、切換爪５９により直接再給紙ループ５１へ導かれる。
　なお、図２ないし図４において７９は防音ガラス、８０はミラー、８１は防塵ガラス、８２はレンズ保持ユニツト、８３は分離爪、８４はメインモータ、８５はフアンモータである。
　【００１０】
　図１は複合型デジタル複写機の全体制御ブロツク図である。
　制御ユニツトは２つのＣＰＵを有しており、シーケンスＣＰＵ１はシーケンス関係の制御、メインＣＰＵ２（制御手段）はオペレーシヨン関係の制御をそれぞれ行つている。シーケンスＣＰＵ１とメインＣＰＵ２とはシリアルインターフエイスによって接続されている。
　まず、シーケンス制御について説明する。シーケンスは紙の搬送のタイミングおよび出力、作像に関する条件設定を行つており、紙サイズセンサ、排紙検知やレジスト検知など紙搬送に関するセンサ群３、両面ユニツト４、高圧電源ユニツト５、リレー、ソレノイド、モータなどのドライバ群６、ソータユニツト７、レーザビームスキヤナユニツト８などが接続されている。
　センサ群３では給紙カセツトに装着された紙のサイズおよび向きを検知し、検知結果に応じた電気信号を出す紙サイズセンサ、レジスト検知や排紙検知など紙搬送に関するセンサ、オイルエンドやトナーエンドなどの供給の有無を検知するセンサ、ならびにドアオープン、ヒユーズ断などの装置の異常を検知するセンサなどがある。
　両面ユニツト４は紙の幅を揃えるためのモータ、給紙クラツチ、搬送経路を変更するためのソレノイド、紙有無検知センサ、紙の幅を揃えるためのサイドフエンスホームポジシヨンセンサ、紙の搬送に関するセンサなどがある。
　高圧電源ユニツト５は帯電チヤージヤ、転写チヤージヤ、分離チヤージヤ、現像バイアス電極にＰＷＭ制御によつて得られたデユーテイだけそれぞれ所定の高圧電力を印加する。
　ドライバ群６は給紙クラツチ、レジストクラツチ、カウンタ、モータ、トナー補給ソレノイド、パワーリレー、定着ヒータなどがある。
　ソータユニツト７はシリアルインターフエイスでシーケンスＣＰＵ１と接続されており、シーケンスＣＰＵ１からの信号により所定のタイミングで紙を搬送し、各ビンに排出させている。
　アナログ信号９には定着温度、フオトセンサ入力、レーザダイオードのモニタ入力、レーザダイオードの基準電圧が入力されている。定着部にあるサーミスタからの入力信号により、定着部の温度が一定になるようにヒータのオン、オフ制御もしくは位相制御が行われる。フオトセンサ入力は所定のタイミングで作られたフオトセンサパターンをフオトトランジスタにより検出し、パターンの濃度を検知することにより、トナー補給のクラツチをオン、オフ制御してトナー濃度の制御を行つている。またこの濃度検知によりトナーエンドの検知も行う。
　レーザビームスキヤナユニツト８のレーザダイオードのパワーを一定に調整する機構として、Ａ／Ｄ変換器とシーケンスＣＰＵ１のアナログ入力が使用されている。つまりレーザダイオードを点灯した時のモニタ電圧が予め設定された基準電圧に一致するよう制御している。
　なお、１０は画像制御回路、１１はキーカードユニツトである。
　次にオペレーシヨン関係の制御について説明する。メインＣＰＵ２は複数のシリアルポートとカレンダＩＣ１２を制御する。複数のシリアルポートにはシーケンスＣＰＵ１の外に、操作部ユニット１３、スキヤナ制御回路９８、アプリケーシヨン１５、エデイタユニツト１６などが接続されている。
　操作部ユニツト１３は操作者のキー入力および複写機の状態を表示する表示器を有し、キー入力情報をメインＣＰＵ２にシリアル送信する。メインＣＰＵ２はキー入力情報を受信して、操作部ユニツト１３の表示器の点灯、消灯を判断し、操作部ユニツト１３にシリアル送信する。操作部ユニツト１３はメインＣＰＵ２からの情報により表示器の点灯、消灯を行う。
　スキヤナ制御回路９８はスキヤナサーボモータ駆動制御および画像処理、画像読取に関する情報をメインＣＰＵ２にシリアル送信する処理およびＡＤＦとメインＣＰＵ２のインターフエイス処理を行う。
　なお、アプリケーシヨン１５はインターフエイスを含む外部機器（フアクシミリ、プリンタ等）であり、予め設定されている情報内容をやりとりする。エデイタユニツト１６は編集情報を入力するユニツトであり、操作者の入力した画像編集データ（マスキング、トリミング、イメージシフト等）をメインＣＰＵ２にシリアル送信する。
　カレンダＩＣ１２は日付と時間を記憶しており、メインＣＰＵ２にて随時呼び出せるため、操作部ユニツト１３の表示器への現在時刻の表示や、複写機のオン、オフ時間の設定により、複写機のオン、オフタイマー制御が可能になる。
　ゲートアレイ１７はメインＣＰＵ２からのセレクト信号により画像データ（ＤＡＴＡ１、ＤＡＴＡ２あるいはＤＡＴＡ１５〜１０、ＤＡＴＡ２５〜２０）および同期信号を出力する。
　【００１１】
　図５はイメージスキヤナ部の回路ブロツク図である。ＣＣＤイメージセンサ９０から出力されるアナログ画像信号は、信号処理回路９１で増幅され、Ａ／Ｄ変換器９２によつてデジタル多値信号に変換される。この信号はシエーデイング補正回路９３によつて補正処理を受け、信号分離回路９４に印加される。
　信号分離回路９４は入力される画像情報を処理して、文字などの２値画像成分信号と中間調画像成分信号とに分離する。２値画像成分信号は、２値化処理回路９５に印加され、中間調画像成分信号は多値化処理回路９６に印加される。２値化処理回路９５では入力される多値データを予め設定された固定しきい値によつて２値データに変換する。多値化処理回路９６では走査位置毎に予め設定されたしきい値によつて入力データを判定し、中間調情報を含む１６値データを出力する。
　スキヤナ制御回路９８はプリンタ制御部からの指示に従つてランプ制御回路１４０、タイミング制御回路９９、電気変倍回路９７ならびにスキヤナ駆動モータ１４２を制御する。ランプ制御回路１４０はスキヤナ制御回路９８からの指示に従つて露光ランプ１４１のオン、オフおよび光量制御を行う。
　スキヤナ駆動モータ１４２の駆動軸にはロータリエンコーダ１４３が連結されており、位置センサ１４４は副走査駆動機構の基準位置を検知する。
　電気変倍回路９７はスキヤナ制御回路９８によつて設定される主走査側の倍率データに従つて、多値化処理された画像データ、２値化処理された画像データについて電気変倍処理を行う。
　タイミング制御回路９９はスキヤナ制御回路９８からの指示に従つて各信号を出力する。即ち、原稿の読み取りを開始すると、ＣＣＤイメージセンサ９０に対しては１ライン分の画像データをシフトレジスタに転送する転送信号と、シフトレジスタのデータを１ビツトずつ出力するシフトクロツクパルスとを与える。像再生系制御ユニツトに対しては画素同期クロツクパルスＣＬＫ、主走査同期パルスＬＳＮＣおよび主走査有効期間信号ＬＧＡＴＥを出力する。
　この画素同期クロツクパルスＣＬＫはＣＣＤイメージセンサ９０に与えるシフトクロックパルスとほぼ同一の信号である。また、主走査同期パルスＬＳＹＮＣは、画像書き込みユニツトのビームセンサが出力する主走査同期信号ＰＭＳＹＮＣとほぼ同一の信号であるが、画像読み取りを行っていない時は出力が禁止される。主走査有効期間信号ＬＧＡＴＥは出力データＤＡＴＡ１、ＤＡＴＡ２、ＤＡＴＡｌ０〜１３、ＤＡＴＡ２０〜２３が有効なデータであるとみなされるタイミングで高レベルＨになる。
　なお、この例ではＣＣＤイメージセンサ９０は１ライン当たり４８００ビツトの有効データを出力する。また、出力データＤＡＴＡ１は奇数番目の各画素のデータであり、出力データＤＡＴＡ２は偶数番目の各画素のデータである。
　スキヤナ制御回路９８はプリンタ制御部から読み取り開始指示を受けると露光ランプを点灯し、スキヤナ駆動モータ１４２を駆動開始してタイミング制御回路９９を制御し、ＣＣＤイメージセンサ９０の読み取りを開始する。また、副走査有効期間信号ＦＧＡＴＥを高レベルＨにセツトする。この信号ＦＧＡＴＥは、高レベルＨにセットされてから副走査方向に最大読取り長さ（本実施例ではＡ３サイズ長手方向の寸法）を走査するに要する時間を経過すると低レベルＬとなる。
　【００１２】
　図６はメモリブロツク図である。
　ＣＣＤイメージセンサ９０からのデジタル画像信号はシエーデイング補正と黒レベル補正と光量補正の機能を持つイメージプリプロセツサ（ＩＰＰ）１００を通して８ビツトデータとして出力される。即ち、ＩＰＰ１００は信号処理回路９１、Ａ／Ｄ変換器９２およびシエーデイング補正回路９３で構成される（図５参照）。このデータはマルチプレクサ（ＭＵＸ）１０１で選択されて、空間周波広域強調（ＭＴＦ補正）機能、速度変換機能（変倍）、γ変換機能、データ深さ変換（８ビツト／４ビツト／１ビツト変換）機能を持つイメージプロセスユニツト（ＩＰＵ）１０２で処理されて、ＭＵＸ１０３を通してプリンタＰＲに出力される。即ち、ＩＰＵ１０２は図５の信号分離回路９４から電気変倍回路９７に至る画像処理回路に対応する。なお、図６のＥＸＴｌＮ，ＥＸＴＯＵＴは、外部からのイメージデータ入力信号と外部への出力信号である。
　従来は、メモリを持つたシステムでは図７のようにＩＰＵ１０２からのイメージデータを一旦、メモリ装置（ＭＥＭ）１０４に格納し、必要な時にＭＥＭ１０４から取り出してプリンタＰＲに出力していた。またＩＰＵ１０２からのイメージデータをプリンタＰＲに出力しながら、同時に読み取ったイメージデータをＭＥＭ１０４に格納し、２枚目以降のコピーはＭＥＭ１０４からのイメージデータを出力する方法も一般的であつた。
　本実施例では図８に示すように、ＩＰＵ１０２で処理されたイメージデータと未処理のイメージデータのどちらもＭＥＭ１０４に取り込めるデータフローの構成にしている。
　つまり、図６の３つのＭＵＸ１０１，１０３，１０５の切り換えで、イメージデータのデータフローを変えられるように構成している。例えば、１回のスキヤナの走査でＩＰＵ１０２のパラメータを変えた複数枚のコピーを出力する場合は、
（１）スキヤナ走査時にＭＵＸ１０１をＡに、ＭＵＸ１０５をＢに、ＭＵＸ１０３をＡにして１枚目のコピーを出力する。この時、ＩＰＵ１０２で処理されていないイメージデータがＭＵＸ１０５を経てＭＥＭ１０４に入る。
（２）２枚目以降はＭＵＸ１０１をＢにして、ＭＥＭ１０４から読み出したイメージデータをＩＰＵ１０２に入れてＭＵＸ１０３を経てＰＲに出力する。この時、１枚コピーする毎にＩＰＵ１０２のパラメータを変更する。
　１ビツトデータのようなコンパクトなデータを処理する場合は、ＭＵＸ１０５をＡにして、ＩＰＵ１０２の出力をＭＥＭ１０４に取り込む。この場合は、プリンタＰＲは２値データ（１ビツト）モードに切り換えてコピーする。
　図９はＭＥＭ１０４の詳細回路ブロック図であり、圧縮器（ＣＯＭＰ）１０６と伸長器（ＥＸＰ）１０７をメモリユニツト（ＭＥＭＵＮ）１０８の前後に入れて実際の入力データ以外に圧縮されたデータも格納できるようにしたものである。この場合ＣＯＭＰ１０６はスキヤナの速度に合わせて、またＥＸＰ１０７はプリンタの速度に合わせて動作させる必要がある。実際のデータを格納する場合はＭＵＸ１０９とＭＵＸ１１０をそれぞれＡにし、圧縮データを使う場合はそれぞれＢにする。１１１はエラー検出回路である。
　【００１３】
　図１０はメモリユニツト１０８の詳細回路ブロツク図である。図のように異なるタイプのイメージデータと、圧縮データであるコードデータを扱うために、入力データ幅変換器１１２、出力データ幅変換器１１３をメモリブロツク１１４の入出力側にそれぞれ持つている。ダイレクトメモリコントローラ（ＤＭＡ）１１５，１１６は、パツクされたデータ数とメモリデータ幅に応じてメモリブロツク（ＭＥＭＢＬ）１１４の所定のアドレスにデータを書き込み、読み取り動作を行う。
　図１１、図１２、図１３はイメージデータのデータタイプを画素配列で示したものである。これらの図において、ｎは画素番号を表す。通常、スキヤナから、またはプリンタヘのイメージデータの転送速度は、ビツトレートに係わらず一定である。つまり１画素の読み取り、または書き込み周期は装置において固定されている。本実施例では８本のデータラインのＭＳＢ側から１ビツトデータ、４ビツトデータ、８ビツトデータとＭＳＢ詰めで定義している。
　このデータをメモリブロツク１１４のデータ幅（１６ビツト）にパツク、アンパツクする回路が入力データ幅変換器１１２と出力データ幅変換器１１３である。パツクすることによつてデータ深さに応じてメモリを使えるようになり、メモリブロック１１４の有効利用が可能になる。
　図１４は他の方式のＭＥＭ１０４の詳細回路図でありＣＯＭＰ１０６とＥＸＰ１０７の代わりにピクセルプロセスユニツト（ＰＰＵ）１１７をメモリユニツト１０８の外に配置したものである。ＰＰＵ１１７はイメージデータ間のロジカル演算（例えば、ＡＮＤ、ＯＲ、ＥＯＲ、ＮＯＴ）を実行するユニツトで、メモリ出力データと入力データを演算してプリンタに出力することと、メモリ出力と入力データ（例えば、スキヤナデータ）を演算して、再びメモリユニツト１０８に格納することができる。出力先のプリンタとメモリユニツト１０８の切り換えはＭＵＸ１１８，１１９で行う。この機能は一般的には画像合成に使われ、例えば、メモリユニツト１０８に合成用画像データを格納しておいて、スキヤナデータに合成用画像を重畳することなどに使用される。
　図１５は外部記憶装置を使つてイメージデータを保存させる外部記憶装置入出力回路のブロツク図を示したものである。イメージデータをフロツピーディスクに保存するときは、図６のＥＸＴＯＵＴからインターフエース（１／Ｆ）１２０を通してフアイルコントローラ（ＦＣＯＮＴ）１２１が制御するフロツピーデイスクコントローラ（ＦＤＣ）１２２に出力し、フロツピーデイスクドライブ（ＦＤＤ）１２３上のフロツピーデイスク１２４に記憶させる。フアイルコントローラ１２１の制御下には、ハードディスクコントローラ（ＨＤＣ）１２５とハードディスクドライブ（ＨＤＤ）１２６があり、ハードデイスクの記憶媒体上にも書き込み、読み出しできる構成にしている。ＨＤＤ１２６には通常良く使うフオーマツトデータや合成用画像データを記憶させておき、必要に応じて使用できるようにしている。
　図１６はメモリユニツト１０８の周辺回路を示すブロツク図であり、圧縮と伸長の処理速度が間に合わなかった時に完全に補償できるようにしたものである。メモリユニツト１０８にはスキヤナ走査と同時に圧縮されたデータとイメージデータが入る。入ってきたデータはそれぞれ別のメモリエリアに格納されるが、圧縮データはそのままＥＸＰ１０７へ入り伸長される。１ページ分のデータがすべてメモリユニツト１０８に入るまでにＣＯＭＰ１０６とＥＸＰ１０７の処理が間に合って正常終了した場合は、圧縮データのメモリエリアだけが残り、未処理データのエリアは取り消される。もしエラー検出回路１１１がＣＯＭＰ１０６またはＥＸＰ１０７からのエラー信号を検出した場合は、直ちに圧縮データエリアが取り消され、未処理データが採用される。メモリ管理ユニツト（ＭＭＵ）１２８はメモリユニツト１０８に対して２つの入力データと１つの出力データが同時に入出力できるようにメモリ制御するユニツトである。このリアルタイムでのＣＯＭＰ１０６とＥＸＰ１０７の検定をすることで、高速性と確実性とメモリエリアの有効利用が可能になる。なお、この実施例ではＭＭＵ１２８によってメモリエリアのダイナミツクなアロケーシヨンをできるようにしたが、ＭＭＵ１２８を設けずに未処理データ用と圧縮データ用の２つのメモリユニツトを持たせてもよい。図１６に示す回路構成は電子ソーティングのように複数ページのデータをメモリに格納し、リアルタイムでプリンタに出力するような、メモリの格納ページ数とプリント速度を両立させなければならないような用途に最適である。
　【００１４】
　図１７はＩＰＵ１０２の詳細回路ブロツク図である。
　ＩＰＵ１０２に印加された画像信号はＭＴＦ補正回路１３０で高域強調され、変倍回路１３１で電気変倍され、γ変換回路１３２に印加される。γ変換回路１３２は入出力特性を機械の特性に合つた最適な特性になるように補正する。γ変換回路１３２から出力された画像信号はデータ深さ切換器ＳＷ１で所定の量子化レベルを選択される。
　切換器ＳＷ１，ＳＷ２は入力画像データを図１８、図１９、図２０に示す３つのタイプのデータに切り換える。なお、これらの図において×印は空データを示す。４ビツト化回路１３３からは４ビツトデータが出力され、２値化回路１３４では入力される８ビツトの多値データを予め設定された固定しきい値によつて２値データに変換し、１ビツトデータとして出力する。デイザ回路１３５は１ビツトデータで面積階調を作り出す。ＳＷ１は３つのタイプのデータのうち１つを選択し、ＤＡＴＡ０〜ＤＡＴＡ７として出力する。
　次にフアクシミリ（画像情報出力装置）での画像情報受信中並びに記録画像プリント中におけるデジタル複写機の原稿画像読み取り動作を説明する。
　フアクシミリから送られてきたデータはアプリケーシヨン１５に入力され、シリアルインタフエースを介しメインＣＰＵ２に指令データが送られると共に画像データはゲートアレイ１６を介し画像制御回路１０に送られる。メインＣＰＵ２の指令に従ってレーザビームスキヤナユニツト８により画像制御回路１０より送手られた画像データに従つた書き込みが行われ記録画像として出力される。
　一方、操作部ユニツト１３において、操作者はフアクシミリの画像の出力終了後、実行したいコピーの倍率、枚数、編集などの出力条件を入力し、原稿をコンタクトガラス２５上にセツトして、操作部ユニツト１３のスタートボタンを押すことにより、スキヤナ部で読み取られ、記録用に画像処理された画像データは図６に示すＭＥＭ１０４内に順次格納される。枚数などの出力条件データはメインＣＰＵ２に格納される。
　また、出力先としてのソータＣのビンナンバーも入力でき、このデータもメインＣＰＵ２上に記憶される。
　フアクシミリの画像の出力終了後、メインＣＰＵ２は速やかにＭＥＭ１０４に格納されたデータを、原稿のセツト時に操作部ユニツト１３に入力された出力条件に基づいてプリンタに出力する指令を行う。画像データはゲートアレイ１６を介し画像制御回路１０に送られ、さらにレーザビームスキヤナユニツト８に送られて記録画像が出力される。
　【００１５】
　【発明の効果】
　請求項１記載の発明によれば、複写機が他の画像情報出力装置のプリント出力を行つている場合においても、プリンタの稼働状態に関係なく原稿画像の読み込み作業を完了して他の作業に移ることができるようになるため、複写作業効率が向上する。読み込まれたデータは、画像情報出力装置によるプリント終了次第、速やかに出力され、コピーは必要な時に必要な人が取りに行けば済むようになる。
【図面の簡単な説明】
　【図１】
　本発明の一実施例に係る画像形成装置の全体制御ブロツク図である。
　【図２】
　デジタル複写機の全体構成図である。
　【図３】
　その書き込み部の分解平面図である。
　【図４】
　その書き込み部の分解側面図である。
　【図５】
　イメージスキヤナ部の回路ブロツク図である。
　【図６】
　メモリブロツク図である。
　【図７】
　従来のイメージデータの流れを示す説明図である。
　【図８】
　本発明の実施例のイメージデータの流れを示す説明図である。
　【図９】
　メモリ装置の詳細回路ブロツク図である。
　【図１０】
　メモリユニツトの内部回路ブロツク図である。
　【図１１】
　イメージデータのデータタイプの説明図である。
　【図１２】
　イメージデータのデータタイプの説明図である。
　【図１３】
　イメージデータのデータタイプの説明図である。
　【図１４】
　メモリ装置の詳細回路ブロツク図である。
　【図１５】
　外部記憶装置入出力回路のブロツク図である。
　【図１６】
　メモリユニツトの周辺回路のブロツク図である。
　【図１７】
　イメージプロセスユニツトの詳細回路ブロツク図である。
　【図１８】
　イメージプロセスユニツトの出力データのタイプの説明図である。
　【図１９】
　イメージプロセスユニツトの出力データのタイプの説明図である。
　【図２０】
　イメージプロセスユニツトの出力データのタイプの説明図である。
　【符号の説明】
　１　シーケンスＣＰＵ
　２　メインＣＰＵ
　７　ソータユニツト
　８　レーザビームスキヤナユニツト
　１０　画像制御回路
　１５　アプリケーシヨン
　９８　スキヤナ制御回路
　１０４　メモリ装置